(57)【特許請求の範囲】
【請求項１】
発光素子または受光素子からなる光素子を光素子収納部に備え、光ファイバが接続するファイバ接続部と、突起部と、を有し、表面が導電性であるレセプタクルと、
前記レセプタクルおよび前記レセプタクル内の光素子と電気的に接続する回路基板を収納し、かつ、前記突起部よりも小さな径の孔を有し、導電性である筐体と、
前記突起部よりも小さく前記レセプタクルが挿入された開口と、前記筐体の係止部に係合する係合部と、前記突起部を押圧する際の支点として作用する支点部と、を有し、バネ性を有する押圧冶具と、を備え、
前記光素子収納部と前記突起部との間が前記押圧冶具の開口に嵌め込まれ、前記押圧冶具の支点部が前記筐体の凹部に嵌め込まれ、かつ、前記ファイバ接続部が前記筐体の孔に挿入された状態で、前記押圧冶具の前記開口の周辺部が前記突起部を前記筐体に押圧しつつ、前記押圧冶具の係合部が前記筐体の係止部に係止されることで、前記レセプタクルを光軸方向に付勢し、かつ、前記レセプタクルの光軸を合わせた状態で、前記突起部が前記筐体の孔を完全に塞いでなることを特徴とする光通信用モジュール。
【請求項２】
前記筐体内には、複数の前記レセプタクルが収容されてなることを特徴とする請求項１記載の光通信用モジュール。
【請求項３】
前記押圧冶具は、前記複数のレセプタクルを押圧するものであることを特徴とする請求項２記載の光通信用モジュール。
【請求項４】
前記複数のレセプタクルそれぞれに対応して設けられた複数の前記押圧冶具を備えることを特徴とする請求項２記載の光通信用モジュール。
【請求項５】
前記押圧冶具と前記レセプタクルの突起部との間には、板状のスペーサが介在してなることを特徴とする請求項１記載の光通信用モジュール。
【発明の詳細な説明】
【技術分野】
【０００１】
本発明は、光通信用モジュールに関し、特に、光素子と光学部品とを接続するためのレセプタクルを固定した光通信用モジュールに関する。
【背景技術】
【０００２】
小型化を指向してきた光通信装置の分野では、通信装置をモジュール化して、ケース等に着脱自在となるように構成している。例えば、半導体レーザーやフォトダイオード等の受発光素子をケース内に収納し、このケースを光ファイバの端面に対向して設け、光信号を光ファイバの端面に入射または出射して、光ファイバを通じて光信号を導入又は導出するレセプタクルが提案されている。
【０００３】
また、さらなる小型化のため、１つの筐体内に少なくとも光送信モジュール及び光受信モジュールを収容することにより、光通信の１チャンネル分を１つのユニットとして提供するものも提案されている。
【０００４】
このような光通信モジュールの信頼性を高めるためには、光学的接続部での安定した接続や、光学的接続部で不必要な高周波信号がモジュールの外部に漏れないように遮蔽することが重要な課題となる。
【０００５】
特許文献１に開示の光モジュールは、図１に示すようにレセプタクルを上下方向から挟み込む固定冶具を設けて、この固定冶具をケースに固定している。
【０００６】
【特許文献１】特開２００５−２４９８９２号公報
【発明の開示】
【発明が解決しようとする課題】
【０００７】
しかしながら、特許文献１の固定方法は、ケースにレセプタクルを固定しているだけの構成であって、レセプタクルと光ファイバコネクタ部との連結部分から高周波信号が漏れてしまう。
【０００８】
また、接着剤によってレセプタクルを筐体に固定する方法も取られているが、光ファイバや発光、受光素子の光軸を合わせながらの固定となるため、組み立て作業の効率が悪く、取り付けや取り外しが簡単にはできないという課題があった。
【０００９】
本発明は、上記課題に鑑みてなされたものであり、レセプタクルを安定して筐体に固定すると共に、高周波信号の漏洩を抑制する光通信用モジュールを提供することを目的とする。
【課題を解決するための手段】
【００１０】
上記課題を解決するため、本発明は、発光素子または受光素子からなる光素子を光素子収納部に備え、光ファイバが接続するファイバ接続部と、突起部と、を有し、表面が導電性であるレセプタクルと、前記レセプタクルおよび前記レセプタクル内の光素子と電気的に接続する回路基板を収納し、かつ、前記突起部よりも小さな径を有し、導電性である筐体と、前記突起部よりも小さく前記レセプタクルが挿入された開口と、前記筐体の係止部に係合する係合部と、前記突起部を押圧する際の支点として作用する支点部と、を有し、バネ性を有する押圧冶具と、を備え、前記光素子収納部と前記突起部との間が前記押圧冶具の開口に嵌め込まれ、前記押圧冶具の支点部が前記筐体の凹部に嵌め込まれ、かつ、前記ファイバ接続部が前記筐体の孔に挿入された状態で、前記押圧冶具の前記開口の周辺部が前記突起部を前記筐体に押圧しつつ、前記押圧冶具の前記係合部が前記筐体の係止部に係止されることで、前記レセプタクルを光軸方向に付勢し、かつ、前記レセプタクルの光軸を合わせた状態で、前記突起部が前記筐体の孔を完全に塞いでなることを特徴とする光通信用モジュールである。本発明によれば、押圧冶具がレセプタクルに設けられた突起部を筐体に押圧した状態で押圧冶具の係合部が筐体に係止されるため、レセプタクルを筐体に簡単に安定して固定することができる。また、レセプタクルの突起部が筐体に押圧されるため、高周波信号の漏洩を抑制することができる。
【００１２】
上記構成において、前記筐体内には、複数の前記レセプタクルが収容されてなる構成とすることができる。また、上記構成において、前記押圧冶具は、前記複数のレセプタクルを押圧するものである構成とすることができる。この構成によれば、複数のレセプタクルを一度に筐体に固定することができる。
【００１３】
上記構成において、前記複数のレセプタクルそれぞれに対応して設けられた複数の前記押圧冶具を備える構成とすることができる。
【００１４】
上記構成において、前記押圧冶具と前記レセプタクルの突起部との間には、板状のスペーサが介在してなる構成とすることができる。この構成によれば、押圧冶具の強度を補強することができる。
【発明の効果】
【００１９】
本発明によれば、押圧冶具がレセプタクルに設けられた突起部を筐体に押圧した状態で押圧冶具の係合部が筐体に係止されるため、レセプタクルを筐体に簡単に安定して固定することができる。また、レセプタクルの突起部が筐体に押圧されるため、高周波信号の漏洩を抑制することができる。
【発明を実施するための最良の形態】
【００２０】
添付図面を参照しながら本発明の好適な実施例を説明する。
【実施例１】
【００２１】
実施例１はＳＦＰ＋（Ｓｍａｌｌ  Ｆｏｒｍ  Ｆａｃｔｏｒ  Ｐｌｕｇｇａｂｌｅ  +  ）型トランシーバの例である。図２（ａ）は、実施例１に係る光通信モジュールの筐体からカバーを取り外した斜視図、図２（ｂ）は、筺体にカバーに取り付けた斜視図である。図２（ａ）のように、金属製の筐体３０には、金属製の冶具１０（押圧冶具）を用い２つ（複数）のレセプタクル２０が収納されている。例えば、筐体３０は亜鉛ダイカスト等の金属材料、レセプタクル２０は、ステンレス等の金属材料からなる。冶具１０は、バネ性を備えるステンレスやリン青銅などの金属やプラスチック材料からなり、係合部１４（係合開口部）が筐体３０の係止部３４（係止凸部）に係合することにより、筐体３０に２つのレセプタクル２０を固定している。２つのレセプタクル２０内には、スリーブ、ファイバが収容されたフェルール、レンズ、光素子（発光素子または受光素子）、ホルダ等で構成された光送信ユニットと光受信ユニットとがそれぞれ形成されている。筐体３０には回路基板４０がネジ４２を用いネジ止めされている。回路基板４０下には送受信回路（不図示）が設けられている。送受信回路は光送信ユニットに電気信号を送信し、光送信ユニットから光ファイバに光を送信するための回路、及び光ファイバから光を受信した光受信ユニットから出力される電気信号を受信するための回路である。レセプタクル２０内の光素子（不図示）と送受信回路とを接続し電気信号を入出力するケーブル４８が設けられている。以降の図においてはケーブル４８は省略する。図２（ｂ）のように、カバー５５が筐体３０に嵌め込まれることにより、レセプタクル２０及び回路基板４０はカバー５５により保護される。
【００２２】
図３（ａ）は冶具の斜視図である。冶具１０は、レセプタクル２０が貫通する開口１８と、開口１８周辺にレセプタクル２０の突起部２２を押圧する押圧部１２と、突起部２２を筐体３０に押圧した状態で、筐体３０の係止部３４に係合する係合部１４と、を有している。図３（ｂ）及び図３（ｃ）は、レセプタクル２０と冶具１０との関係を示す斜視図である。レセプタクル２０は、光ファイバが接続するファイバ接続部２４と、冶具１０の押圧部１２が当接する突起部２２と、光素子が収納された光素子収納部２１とを有する。レセプタクル２０の光素子収納部２１と突起部２２との間が冶具１０の開口１８に嵌め込まれ、突起部２２に押圧部１２が当接する。
【００２３】
図４は筐体３０、レセプタクル２０及び回路基板４０を分解した分解斜視図である。レセプタクル２０のファイバ接続部２４が筐体３０に設けられた孔３２に挿入され、冶具１０の押圧部１２がレセプタクル２０の突起部２２を押圧することにより、レセプタクル２０が筐体３０に固定される。係合部１４が筐体３０の係止部３４に係合する。このとき、支点部１６は、筐体３０の凹部３６に嵌めこまれ、レセプタクル２０の突起部２２を押圧するときの支点として作用する。これにより、冶具１０が筐体３０に固定される。筐体３０内の回路基板収納部４６には回路基板４０が収納される。なお、係止部３４上に設けられた突起３５は外部のコネクタに光通信モジュールを接続した際、外部のコネクタと係合するための突起である。
【００２４】
図５（ａ）から図６（ｃ）を用い、冶具１０を用いレセプタクル２０を筐体３０に固定する方法を説明する。図５（ａ）及び図５（ｂ）は筐体３０の切欠斜視図であり、図６（ａ）から図６（ｃ）は筐体３０の断面模式図である。図５（ａ）を参照に、レセプタクル２０を冶具１０に配置した状態で、ファイバ接続部２４を筐体３０の孔３２に挿入する。図６（ａ）を参照に、冶具１０がレセプタクル２０を押圧する際の支点として作用する支点部１６を筐体３０の凹部３６に嵌めるように、冶具１０を配置する。図６（ｂ）を参照に、冶具１０の係合部１４が筐体３０の係止部３４に嵌め込まれる。図５（ｂ）及び図６（ｃ）を参照に、冶具１０はバネ性を有しているため、レセプタクル２０の突起部２２は、冶具の押圧部１２に押圧され光軸方向に付勢される（図６（ｃ）内の矢印参照）。
【００２５】
図６（ｃ）のように、冶具１０の開口１８（図３（ａ）参照）にレセプタクル２０が挿入されている。開口１８は突起部２２よりも小さいため、冶具１０の係合部１４が筐体３０の係止部３４に係合することにより押圧部１２が突起部２２を筐体３０に対して押圧すると、レセプタクル２０は筐体３０に固定される。このように、冶具１０がレセプタクル２０の突起部２２を筐体３０に押圧した状態で、係合部１４が筐体３０に係止される。これにより、光軸を合わせた状態で、レセプタクル２０を筐体３０に簡単に取り付けることができる。
【００２６】
また、冶具１０の一方に支点部１６、他方に係合部１４を有することにより、冶具１０が突起部２２を筐体３０に押圧した状態で、係合部１４を筐体３０に係止することができる。
【００２７】
筐体３０には、つば状の突起部２２よりも小さい径を有する孔３２が設けられており、突起部が押圧によって孔３２を塞ぐことにより、突起部２２が、筐体３０の孔３２を完全に塞ぐため、外部の高周波信号が回路基板収納部内に漏れること、また回路基板収納部内で発生した高周波信号が外部に漏れることを抑制することができる。
【００２８】
また、筐体３０及びレセプタクル２０を導電性の金属（例えば筐体３０は亜鉛ダイカスト、レセプタクル２０はステンレス）等からなる材料を用いることにより、筐体３０及びレセプタクル２０が外部と電気的にアースされた状態となる。これにより、外部の高周波信号が回路基板収納部４６内に漏れること、回路基板収納部４６内で発生した高周波信号が外部に漏れることを抑制することができる。
【００２９】
さらに、筐体３０は、レセプタクル２０と接触する箇所など少なくとも一部領域が金属であることが好ましい。このように、レセプタクル２０の表面及び筐体３０のレセプタクル２０が押圧される領域は、導電性であることが好ましい。これにより、筐体３０の一部領域及びレセプタクル２０が接触する箇所は、外部と電気的にアースされた状態となる。よって、外部の高周波信号が回路基板収納部４６内に漏れること、回路基板収納部４６内で発生した高周波信号が外部に漏れることを抑制することができる。
【００３０】
冶具１０には横方向に配列した２つ（複数）のレセプタクル２０が挿入され、係合部１４は、レセプタクル２０の縦方向に設けられている。このように、レセプタクル２０の配列方向ではなく、交差する方向に係合部１４が設けられることにより、筐体３０の幅を小さくすることができる。
【実施例２】
【００３１】
実施例２は、押圧部がスペーサを介し突起部を押圧する例である。図７（ａ）はレセプタクル２０と冶具１０を示した斜視図、図７（ｂ）は断面模式図である。レセプタクル２０の突起部２２と冶具１０の押圧部１２（図３（ａ）参照）との間に金属製のスペーサ５０が設けられている。このように、冶具１０とレセプタクル２０との間には、板状のスペーサ５０が介在していてもよい。冶具１０が弾性を得るためには、冶具１０の強度が下がってしまう。実施例２によれば、押圧部１２がスペーサ５０を介し突起部２２を押圧することにより、冶具１０の強度を補強することができる。
【００３２】
冶具の構造は、図８（ａ）のように、冶具１０ａの開口１８ａが縦方向に開口していてもよい。実施例１及び図８（ａ）のように、冶具１０または１０ａが複数のレセプタクル２０を押圧することにより、複数のレセプタクル２０を一度に筐体３０に固定することができる。図８（ｂ）のように、２つのレセプタクル２０は、それぞれに対応して設けられた２つの冶具１０ｂにより、それぞれ固定されていてもよい。これにより、それぞれの冶具１０ｂが複数のレセプタクル２０を押圧する圧力をそれぞれ異ならせることができる。以上のように、冶具の構造は実施例に限られるものではない。
【００３３】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００３４】
【図１】図１は従来のレセプタクルの固定冶具を示す図である。
【図２】図２（ａ）及び図２（ｂ）は、光通信モジュールの斜視図である。
【図３】図３（ａ）から図３（ｃ）は、冶具及びレセプタクルの斜視図である。
【図４】図４は、筐体、冶具及びレセプタクルの分解斜視図である。
【図５】図５（ａ）及び図５（ｂ）は、筐体及び冶具の切欠斜視図である。
【図６】図６（ａ）から図６（ｃ）は、筐体及び冶具の断面模式図である。
【図７】図７（ａ）及び図７（ｂ）は、実施例２を示す図である。
【図８】図８（ａ）及び図８（ｂ）は、冶具の別の例である。
【符号の説明】
【００３５】
１０          冶具（押圧冶具）
１２          押圧部
１４          係合部（係合開口部）
２０          レセプタクル
２２          突起部
３０          筐体
３２          孔
３４          係止部（係止凸部）
【図１】
0004398488.tif 000002
【図２】
0004398488.tif 000003
【図３】
0004398488.tif 000004
【図４】
0004398488.tif 000005
【図５】
0004398488.tif 000006
【図６】
0004398488.tif 000007
【図７】
0004398488.tif 000008
【図８】
0004398488.tif 000009